(57)【特許請求の範囲】
【請求項１】
ベルト部材を介して身体に装着される振動ユニットが、振動ユニット全体を振動させ、かつ身体の目的筋肉に打撃的な振動を与える振動源を該振動ユニットのケースに内設し、一方、前記振動ユニットは、身体の目的筋肉に対して通電させるための電極部を有し、制御部が前記振動源を構成する駆動モータと前記電極部に接続する筋肉刺激用駆動部とをそれぞれ制御する痩身運動器具であって、
前記電極部は、前記身体の皮膚に接触する裏側に相当する前記ケースの一側面に設けられ、このケースの一側面を介して前記振動源からの振動と前記筋肉刺激用駆動部からの電気的刺激の両方を前記身体の目的筋肉に対して同時に与えることができ、
前記振動源は、一つの駆動モータと、該駆動モータの出力軸に直接又は間接的に接続するアンバランサーとで一つの振動源を構成し、
前記制御部は、痩身トリートメントの際、記憶部に記録され、かつ、前記駆動モータの回転数とその回転方向、並びに前記筋肉刺激用駆動部のパルス幅とその周波数とを組み合わせた複数種類の痩身トリートメントのモードの選択に基づき、少なくとも前記駆動モータの回転数及び回転方向を制御すると共に、前記筋肉刺激用駆動部のパルス幅、周波数及び出力電圧を、前記駆動モータの回転数に関連付けるように制御することを特徴とする痩身運動器具。
【請求項２】
請求項１に於いて、痩身トリートメントのモードは、少なくとも、目的部位としての表層筋に軽めの打撃的振動と電気的筋肉刺激を与えるエントリーモードと、目的部位しての表層筋に打撃的振動と電気的筋肉刺激を与えるアウターマッスルモードと、目的部位しての深層筋に打撃的振動と電気的筋肉刺激を与えるインナーマッスルモードと、前記目的部位に最も強い打撃的振動と電気的筋肉刺激を与えるドローインモードを含むことを特徴とする痩身運動器具。
【請求項３】
請求項１に於いて、一つのケースに単数又は複数のいずれかの振動源が設けられていることを特徴とする痩身運動器具。
【請求項４】
請求項１に於いて、振動ユニットは、単数又は複数のいずれかであることを特徴とする痩身運動器具。
【発明の詳細な説明】
【技術分野】
【０００１】
本発明は、痩せるために、身体の目的筋肉に対して、振動源による打撃的振動と、筋肉刺激用駆動部から出力される電気的な刺激の両方を付与する痩身運動器具に関する。
【背景技術】
【０００２】
特許文献１の発明の課題は、「過電流などの不都合を生じることなく、電気的な刺激と振動による負荷の両方を身体に加えた痩身トリートメントを行って、好適な痩身効果を得ることができる痩身運動器具を提供すること」である。そのために、「ベルト部材（３）により身体に固定される本体ユニット（１）の外側面に一対の電極（２、２）を配備し、これら電極に、本体ユニットに内蔵のパルス電源を接続する。さらに、本体ユニットの内部には、振動を起こす振動源（５）を装備するとともに、電極を、本体ユニットに対して、弾力材（１４）を介して出入自在に取り付け、前記電極は、弾性部材により形成する」ものである。
【０００３】
なお、特許文献１の図４の本体ユニット（１）の中には、駆動モータ（５０）と、該駆動モータの駆動力を、伝達ベルトを介して受ける偏心モータ（５）とが示されているが、前記偏心モータ（５）は、それ自体駆動力を有するモータではなく、出力軸にアンバランサーを有する振動源であることは、段落００１３に記述されている通りである。したがって、本体ユニット（１）は、一つの駆動モータ（５０）、該駆動モータに間接的に連結された一つの振動源（５）のみが内設されているものである。
【０００４】
ところで、特許文献１には、本体ユニット（１）に設けた駆動モータ（５０）及びＥＭＳ（電気的な筋肉刺激）の電極（２、２）を、コントロールユニットの制御部によって、「どのように制御するか（例えば駆動モータの回転数の増減、回転方向等に対するＥＭＳの周波数、パルス幅等の出力との関係）」についての言及がない（符号は特許文献１のもの）。
【０００５】
一方、特許文献２には、「一つの駆動モータの回転方向（正転、反転）を制御部で制御すること」が記載されている。すなわち、特許文献２には、「制御回路（３５）は、マッサージユニット（７）を往復移動させるモータ（１２）の電流値を、電流値検出手段（３４）を介して、例えば１秒ごとに検出し、この検出した電流値に基づきモータ（１２）の回転数を求め、この回転数を積算した合計回転数と、マッサージユニット（７）の移動幅に対応して予め設定された設定回転数とを比較して反転時期を制御する」ことが記載されている（符号は特許文献２のもの）。
【０００６】
この特許文献２は、椅子式のマッサージ装置である点、振動体はローラである点、ＥＭＳ（電気的な筋肉刺激）を有しない点等で、特許文献１とは著しく相違する。また特許文献２は、特許文献１と同様に、駆動モータの回転数の増減、回転方向等に対するＥＭＳの周波数、パルス幅等の出力との関係が記載されていない。
【先行技術文献】
【特許文献】
【０００７】
【特許文献１】再公表特許ＷＯ２００９／１３０８０２号公報
【特許文献２】特開平１１−２９９８５１号公報
【発明の概要】
【発明が解決しようとする課題】
【０００８】
本願発明の主たる目的は、特許文献１の打撃的振動と電気的な筋肉刺激の相乗効果を高め、より一層の高い痩身効果を得ることである。付言すると、振動ユニットによる物理的振動刺激手段と筋肉への電気刺激による電気的刺激手段との合成をより効率的に行うことである。次に本願発明の第２の目的は、一つの振動ユニットの中に一対の振動源を内設することにより、打撃式振動の強弱に対応するように筋肉刺激用駆動部のパルス幅の長・短、周波数の高・低及び出力電圧を、振動源の回転数に適宜に関連付け、これにより、被験者が色々な態様で、身体の所望する目的筋肉に対して打撃的振動と電気的な刺激の両方を同時に与え、より一層の好適な痩身効果を得ることである。本願発明の第３の目的は、ベルト部材に複数個の振動ユニットを所要間隔離間して配設し、本願発明の第２の目的をより一層高めることである。
【課題を解決するための手段】
【０００９】
本発明の痩身運動器具は、ベルト部材を介して身体に装着される振動ユニットが、振動ユニット全体を振動させ、かつ身体の目的筋肉に打撃的な振動を与える振動源を該振動ユニットのケースに内設し、一方、前記振動ユニットは、身体の目的筋肉に対して通電させるための電極部を有し、制御部が前記振動源を構成する駆動モータと前記電極部に接続する筋肉刺激用駆動部とをそれぞれ制御する痩身運動器具であって、前記電極部は、前記身体の皮膚に接触する裏側に相当する前記ケースの一側面に設けられ、このケースの一側面を介して前記振動源からの振動と前記筋肉刺激用駆動部からの電気的刺激の両方を前記身体の目的筋肉に対して同時に与えることができ、前記振動源は、一つの駆動モータと、該駆動モータの出力軸に直接又は間接的に接続するアンバランサーとで一つの振動源を構成し、前記制御部は、痩身トリートメントの際、記憶部に記録され、かつ、前記駆動モータの回転数とその回転方向、並びに前記筋肉刺激用駆動部のパルス幅とその周波数とを組み合わせた複数種類の痩身トリートメントのモードの選択に基づき、少なくとも前記駆動モータの回転数及び回転方向を制御すると共に、前記筋肉刺激用駆動部のパルス幅、周波数及び出力電圧を、前記駆動モータの回転数に関連付けるように制御することを特徴とする。
【００１０】
上記構成に於いて、痩身トリートメントのモードは、少なくとも、目的部位としての表層筋に軽めの打撃的振動と電気的筋肉刺激を与えるエントリーモードと、目的部位しての表層筋に打撃的振動と電気的筋肉刺激を与えるアウターマッスルモードと、目的部位しての深層筋に打撃的振動と電気的筋肉刺激を与えるインナーマッスルモードと、前記目的部位に最も強い打撃的振動と電気的筋肉刺激を与えるドローインモードを含むことを特徴とする。さらに、一つのケースに単数又は複数のいずれかの振動源が設けられていることを特徴とする。加えて、振動ユニットは、単数又は複数のいずれかであることを特徴とする。
【発明の効果】
【００１１】
本発明は、振動ユニットの振動源が一つの場合又は複数の場合の如何を問わず、該振動ユニットの身体の皮膚に接触する裏側に相当する前記ケースの一側面を介して物理的振動刺激手段と筋肉への電気刺激による電気的刺激手段との合成をより効率的に行うことができる。特に、振動ユニットの振動源が複数の場合には、色々な態様の打撃式振動を可能にし、該打撃式振動の強弱に対応するように筋肉刺激用駆動部のパルス幅の長・短、周波数の高・低及び出力電圧を、振動源としての駆動モータの回転数に適宜に関連付け、これにより、被験者が色々な態様で、身体の所望する目的筋肉に対して打撃的振動と電気的な刺激の両方を同時に与え、より一層の好適な痩身効果を得ることができる。なお、振動ユニットの振動源が一つの場合又は複数の場合の如何を問わず、振動源として、駆動モータの出力軸にアンバランサーが直結する実施形態の場合には、一つの振動ユニットの中にコンパクト化された振動源を内設することにより、振動ユニットの軽量化及びローコスト化を図ることができる。
【図面の簡単な説明】
【００１２】
図１乃至図１６は本発明の第１実施形態を示す各説明図、図１７乃至図２２は本発明の第２実施形態を示す各説明図。図２３及び図２４は本発明の第３実施形態を示す各説明図。
【図１】第１実施形態の概略説明図。
【図２】コントロールユニットの平面視からの説明図。
【図３】振動ユニットの内部構造を示す正面視から概略説明図。
【図４】振動ユニットの一側面（接触面）の説明図。
【図５】振動ユニットの内部構造を示す平面視から概略説明図。
【図６】制御部及び制御対象を示す概略説明図。
【図７】コントロールユニットの制御ブロック図（電源省略）。
【図８】モードデータテーブルの説明図。
【図９】物理的振動情報と電気的刺激情報の紐付の概念図。
【図１０】一つの振動ユニットを身体の腹部に装着した一例を示す説明図。
【図１１】駆動モータの振動（回転）に合わせてＥＭＳを出力することを示す原理図。
【図１２】エントリーモードにおける（ａ）モータ回転打撃、（ｂ）パルス幅、（ｃ）周波数、（ｄ）ＥＭＳ出力をそれぞれ示す説明図。
【図１３】アウターマッスルモードにおける（ａ）モータ回転打撃、（ｂ）パルス幅、（ｃ）周波数、（ｄ）ＥＭＳ出力をそれぞれ示す説明図。
【図１４】インナーマッスルモードにおける（ａ）モータ回転打撃、（ｂ）  パルス幅、（ｃ）周波数、（ｄ）ＥＭＳ出力をそれぞれ示す説明図。
【図１５】ドローインモードにおける（ａ）モータ回転打撃、（ｂ）パルス幅、（ｃ）周波数、（ｄ）ＥＭＳ出力をそれぞれ示す説明図。
【図１６】ドレナージュモードにおける（ａ）  モータ回転打撃、（ｂ）  パルス幅、（ｃ）周波数、（ｄ）ＥＭＳ出力をそれぞれ示す説明図。
【図１７】本発明の第２実施形態の図１と同様の概略説明図。
【図１８】第２実施形態の図２と同様の概略説明図。
【図１９】第２実施形態の図５と同様の概略説明図。
【図２０】第２実施形態の図７と同様の概略説明図。
【図２１】アウターマッスルモードおける（ａ）二つの駆動モータ回転打撃、（ｂ）パルス幅、（ｃ）周波数、（ｄ）ＥＭＳ出力を示す説明図。
【図２２】ドローインモードおける（ａ）二つの駆動モータ回転打撃、（ｂ）パルス幅、（ｃ）周波数、（ｄ）ＥＭＳ出力をそれぞれ示す説明図。
【図２３】本発明の第３実施形態の概略説明図。
【図２４】各振動ユニット（実施形態では合計２個）の内部構造を示す概略説明図。
【発明を実施するための最良の形態】
【００１３】
図１乃至図８は本発明の第１実施形態の痩身運動器具Ｘの各説明図である。まず、図１に示す痩身運動器具Ｘは、後述する振動源を内蔵する１つの振動ユニット１と、この振動ユニットを構成する横長略直方体状のケース１ａの平な上面に略扁平状の筐体２ａが一体的に設けられ、かつ、後述する制御部を内蔵するコントロールユニット２と、このコントロールユニット２の電源接続部３に係脱自在に係合する電源接続手段４と、前記ケース１ａの側壁或いは支持部材に取付けられる左右の取付け基端部５ａ、５ａを有するベルト部材５とを備え、さらに前記振動ユニット１の一側面（皮膚に接触する裏側）には、身体の目的筋肉に対して通電させるため肌へ接触する電極部６が垂直或いは水平状態に設けられている。
【００１４】
前記電極部６は、一対又は二対のいずれでも良いが、本実施形態では、特許文献１と同様に上下に所定間隔を有して一対配設されている。また電極部６を構成する上下一対の長板状の電極６ａ、６ａは、特許文献１と同様に弾性部材を介してケース１ａの内部へ位置変位するように構成しても良いが、本実施形態では、ケース１ａの一側面に固定的に設けられている（図５参照）。
【００１５】
ところで、前記振動ユニット１は、前記ベルト部材５を介して、身体の腹部、腕部、脚部等の目的部位（筋肉）に装着されるものであるが、面状係着部、環状リンク、雄・雌式の自在係着具等を適宜に有するベルト部材５の具体的構成は、本発明の本質的事項ではないので、その詳細は割愛する。
【００１６】
また前記電源接続手段４は、周知の如く、いわゆるプラグ４ａと、接続コード４ｂ、ＡＣアダプタ４ｃとから成り、前記ＡＣアダプタ４ｃは、図示しない商業用電源を安定にする電源安定回路を有し、作動電圧を前記コントロールユニット２に供給する。もちろん、作動電圧を供給する電源は、例えば二次電池、ボタン電池等の内蔵電源であっても良い。要するに、後述する出力部としての筋肉刺激用駆動部３６を駆動させ、所要のパルス幅、周波数及び出力電圧を電極部６に印加することができるのであれば、電源は、ロールユニット２の内部か又は外部かを問わない。
【００１７】
さて、振動ユニット１を構成するケース１ａの形状は、図３、図４及び図５に示す通りである。例えば平面視から振動ユニット１の内部構造を示す図５を参照にすると、ケース１ａは、背面が横長矩形状に開口するケース本体１０と、このケース本体１０に一体的に設けられ、かつ、前記開口を塞ぐ支持部材１１とから成り、前記支持部材１１は、ケース本体１０の一側面（裏板）となる内部側にやや弧状に形成された垂直支持部１１ａと、この垂直支持部１１ａの上端部寄りの部位に基端部が取付けられ、その突出端部がケース本体１０の前面部１０ａの内壁面側に略水平状態に突出する水平支持部１１ｂとから成る。そして、前記垂直支持部１１ａの左右端部には、ベルト部材５の取付け基端部５ａ、５ａを取付けるための一対の垂直長孔１２、１２が形成されており、一方、前記水平支持部１１ｂの中央部には、後述する駆動モータの突出出力軸が貫通する貫通孔１３が形成されている。さらに、ケース１ａの左右側壁にも、前記取付け基端部５ａ、５ａを取付けるための一対の垂直切欠部１４，１４が形成されている。なお、ケース本体１０の形状は本発明の本質的事項ではないので、例えば特許文献１のケースの如く、左右両端部を柱弧状に形成し或いは平面視トラック形状等に形成しても良い。
【００１８】
また前記コントロールユニット２は、ケース本体１０の左右の一側面に図示しない垂直のヒンジ手段を介して一体的に接続しても良い。また振動ユニット１（ケース本体１０）と別体であって良い。コントロールユニット２が振動ユニット１と別体の場合には、互いに電気的に接続する接続コードを介して連結されているが、その場合、被験者が手元で操作できるように、コントロールユニット２は振動ユニット１に対してぶら下がり状となる範囲であることが望ましい。
【００１９】
ここで、図２を参照にして、コントロールユニット２の筺体２ａの上面に配設された電源ボタン１６、電気的筋肉刺激（以下、「ＥＭＳ」という）用のＥＭＳレベルボタン１７Ａ、１７Ｂ、モート選択ボタン１８、ＥＭＳのレベル表示部１９、駆動モータの回転数或いは振動状態表示部２０を説明する。電源ボタン１６、ＥＭＳレベルボタン１７Ａ、１７Ｂ、モート選択ボタン１８は操作部を構成する。
なお、本実施形態では、前記モート選択ボタン１８がスタートボタンを兼用している。例えば後述するモードの一つを選択した後、所定時間（例えば３秒）経過すると、選択（特定）されたモードが自動的にスタートする。もちろん、スタートボタンはモート選択ボタン１８と別個に設けても良い。
【００２０】
電源ボタン１６は、電源ＯＮ／ＯＦＦするものである。本実施形態では、電源ＯＮにする場合には、電源ＯＦＦ状態から、該電源ボタン１６を０．５秒以上押すと、ＥＭＳおよび振動がスタンバイ状態になる。一方、電源ＯＮ状態から、例えば電源ボタン１６を１秒以上押すと、電源はＯＦＦとなる。さらに、電源をＯＮしてから１０分経過すると自動電源ＯＦＦとなり、モード変更やレベル変更は時間リセットしない。後述する複数種類の痩身トリートメントのモードを選択する場合、スタンバイ状態から、モート選択ボタン１８を複数回押し、例えば６種類の中から、所望の振動とＥＭＳのモードを選択することができる。モードが選択（特定）されると、後述するように振動源の振動とＥＭＳの出力は互いに関連付け（紐付）られ、かつ、略同時に作動する。複数種類のモードの詳細、及び前記関連付け（紐付）については後述する。
【００２１】
ＥＭＳレベルボタン１７Ａ、１７Ｂについて説明すると、「ＥＭＳレベル」は、スタンバイで出力は０、「＋」ボタンでレベルアップ、「−」ボタンでレベルダウンである。ＥＭＳのモードは振動のモードと連動するので、振動のＬＥＶＥＬはない（各モードに依存する）。なお、１実施形態の別の側面として、例えばＥＭＳはＬＥＶＥＬの「＋」を押さないとスタートしないようにすることもできる。また逆にスタンバイ状態から「ＳＴＡＲＴ」ボタンを押さず、「＋」ボタンを押すと、ＥＭＳのみが出力するように構成しても良い。
【００２２】
複数個の表示部に関し、第１の表示部としてのＥＭＳのレベル表示部１９は、筺体２ａの前面部側縁部に略水平方向に所定間隔を有して配列した合計６つのＬＥＤ１９ａ〜１９ｆにて表現し、一方、第２の表示部としての駆動モータの回転数或いは振動状態表示部２０は、輝度の高いＬＥＤを横長状或いは帯状に配置し、振動の出力をビジュアル化で示している。なお、操作部の各操作ボタンの配列や表示部のランプ等の表示態様は、本発明の本質的事項ではない。
【００２３】
次に、図３及び図４を参照にして振動源２１を説明する。本実施形態では、振動源２１は、一つの駆動モータ２２と、該駆動モータの出力軸２３に接続する指形状のアンバランサー２４とで一つの振動源を構成している。付言すると、特許文献１の如く、動力伝達ベルトを用いず、前記アンバランサー２４は動モータの出力軸２３に直結している。それ故に、振動ユット１はシンプルであり、特許文献１のそれと比較すると、安価かつ軽量である。
【００２４】
しかして、駆動モータ２２は前述した支持部材１１の水平支持部１１ｂの下面に固定的に垂設されており、その出力軸２３は前記水平支持部１１ｂの貫通孔１３を貫通している。それ故に、振動源２１としての駆動モータ２２が駆動すると、該振動源２１は、振動ユニット全体を振動させ、かつ身体の目的筋肉に打撃的な振動を与える。なお、前記アンバランサー２４の形状、厚さ、材料、重量等は適宜に設計変更し得る事項である。
【００２５】
次に、図７（電源省略）を参照にして本実施形態の制御部（モード処理装置）の構成を説明する。この図は第１実施形態に係るモード処理装置の全体の構成図である。
【００２６】
前述した操作部（１６、１７、１８）、表示部（１９、２０）は、コントロールユニット２の筐体２ａ内に設けた制御部３０に接続している。制御部３０はコンピュータ（以下、「ＣＰＵ」という）３１、計時部（タイマー）３２、振動源２１の振動状態（起動、回転状態、停止）を論理回路で検出する検出手段３３を含み、少なくとも、ＣＰＵ３１で実行する制御プログラムを記憶したプログラム記憶部３４と、後述するモードデータテーブル（図８）を記憶したモードデータテーブル記憶部３５と、出力部としての筋肉刺激用駆動部３６と、駆動モータの回転方向（正転、反転）を制御する駆動モータ制御手段３７を有して構成されている。
【００２７】
したがって、複数種類の痩身トリートメントのモードは、プログラム記憶部３４に記憶された制御プログラムを前記ＣＰＵ３１で実行することにより、振動ユット１に設けた一つの振動源２１の振動と電極部６の通電を色々な態様に制御する。その際、制御部３０は、モードデータテーブル記憶部３５に記録されているモードデータテーブル（図８）の情報は、一つの振動源２１の振動情報と一対の電極を有する電極部６の通電情報が互いに「紐付（ひもづけ）」されていることから、痩身トリートメントの際、少なくとも駆動モータ２２の回転数及び回転方向を制御すると共に、筋肉刺激用駆動部３６のパルス幅、周波数及び出力電圧を、前記駆動モータ２２の回転数に関連付けるように制御する。ここで、「紐付（ひもづけ）」とは、ある情報と他の情報とを関連付けることをいう。
【００２８】
そこで、図８を参照にして「モードデータテーブル４０」を説明する。この図はモードデータテーブル記憶部３５に記憶されているモードデータテーブル（以下「データテーブル４０」という）の概念図である。この図において、データテーブル４０は行列方式であり、各行（レコード）を複数のフィールドで区分している。すなわち、被験者が選択することができる痩身トリートメントのモードコードフィールド４０ａ、駆動モータの回転数コードフィールド４０ｂ、ＥＭＳの関連付け（紐付）コードフィールド４０ｃ、ＥＭＳのパルス幅コードフィールド４０ｄ、ＥＭＳの周波数コードフィールド４０ｅ、ＥＭＳの出力電圧コード４０ｆなどに分けている。
【００２９】
本実施形態では、例えば一番上の行Ｒ１の「０００１」は、いわば入門用のエントリーモードコードであることを意味し、該エントリーモードコード０００１は、目的部位としての表層筋に軽めの打撃的振動を与えるための駆動モータ２２に生じる回転数は「第１設定状態Ａ」としている。
【００３０】
この第１定状態Ａは、ＥＭＳコードフィールド４０ｃの「Ａ」に紐付けされていることから、該ＥＭＳの「Ａ」は前記表層筋に軽めの電気的筋肉刺激を与えることになる。以下、モードコード「０００２」〜モードコード「０００６」は、それぞれ各行Ｒ２、Ｒ３、Ｒ４、Ｒ５、Ｒ６の各回転数コードフィールド４０ｂのＢ、Ｃ、Ｄ、Ｅ、ＦにＥＭＳの紐付けコードのＢ、Ｃ、Ｄ、Ｅ、Ｆがそれぞれ対応している。
【００３１】
それ故に、本実施形態では、筋肉刺激用駆動部３６のパルス幅ａ０１〜ｆ０１と、その周波数ａ０２〜ｆ０２及びその出力電圧ａ０３〜ｆ０３を、一つの駆動モータ２２の各回転数Ａ（第１設定状態）〜Ｆ（第６設定状態）に関連付けた状態で、これらの情報がモードデータテーブル記憶部３５に記録に格納されていることになる。なお、図９は物理的振動情報と電気的刺激情報の紐付の簡単な概念図である。
【００３２】
次に、図１０は一つの振動ユニット１を身体の腹部Ｙに装着した一例を示す説明図である。この状態で、図１１で示す基本的な原理に基づいて複数種類の痩身トリートメントのモードを行う。痩身トリートメントのモードは、（１）図１２に示す目的部位としての表層筋に軽めの打撃的振動と電気的筋肉刺激を与えるエントリーモードと、（２）図１３に示す目的部位しての表層筋に打撃的振動と電気的筋肉刺激を与えるアウターマッスルモードと、（３）図１４に示す目的部位しての深層筋に打撃的振動と電気的筋肉刺激を与えるインナーマッスルモードと、（４）図１５に示す前記目的部位に最も強い打撃的振動と電気的筋肉刺激を与えるドローインモードと、（５）図１６に示す目的部位に最も軽い、いわば撫ぜるような打撃的振動と電気的筋肉刺激を与えるドレナージュモードと、（６）図示しない複合モードを含むものである。したがって、本実施形態では、望ましくは「６つ」の種類を採用している。
【００３３】
図１１は、駆動モータの振動（回転）に合わせてＥＭＳを出力することを示す原理図である。図１１（ａ）は、駆動モータ２２（以下、図では「モータ」という）の回転打撃を示す曲線であり、縦軸がモータの回転数、横軸が時間である。図１１（ｄ）は、筋肉刺激用駆動部３６の出力（以下、図では単に「ＥＭＳ出力」という）を示す曲線であり、縦軸が電圧、横軸が時間である。図１１（ａ）の曲線と図１１（ｄ）のそれとを対比すると、似たような曲線になる。
【００３４】
したがって、モータの回転打撃（ｒｐｍ）が高くなればＥＭＳ出力も連動するような恰好で高くなり、一方、モータの回転打撃が低くなると、ＥＭＳ出力も連動するような恰好で低くなる。図１１（ｂ）はパルス幅（μｓ）が段階的に段々高くなる、段階的に段々低くなることを示す。また図１１（ｃ）は周波数が高い場合にはＥＭＳ出力が少なく、一方、周波数が低い場合にはＥＭＳ出力が高いことを示す。これらのグラフは、モータの回転打撃に伴う、ＥＭＳと、パルス幅と、周波数の関係を示す基本的原理であるが、より判り易く説明すると、周波数が高くなればなる程（例えば子犬のキャン、キャン、キャンというような叫ぶ声）筋肉に対する電気的刺激が弱くなり、一方、周波数が低くなればなる程（例えば恐竜の叫び声、ほら貝から出る音など）筋肉に対する電気的刺激が強くなる。
換言すれば、周波数が高い場合には、「いわばビー、ビー、ビー………」というような感じであり、一方、周波数が低い場合には、「いわばバーン、バーン、バーン、………」という強い感じである。
【００３５】
そこで、まず、図１２はエントリーモードにおける（ａ）モータ回転打撃、（ｂ）パルス幅、（ｃ）周波数、（ｄ）ＥＭＳ出力をそれぞれ示す。エントリーモードは、初心者用、いわゆる入門用であるから、軽めの振動と刺激を与えるように、（ａ）のモータ回転打撃及び（ｄ）のＥＭＳ出力は、略一定と成っている。したがって、（ｂ）のパルス幅は略一定であり、また（ｃ）の周波数も大きく変化しない状態となっている。つまり、スタートも緩やかであり、その後時間が経っても、各線の状態は大きく変わっていない。
次に、図１３はアウターマッスルモードおける（ａ）モータ回転打撃、（ｂ）パルス幅、（ｃ）周波数、（ｄ）ＥＭＳ出力をそれぞれ示す。アウターマッスルモードは、表層筋に打撃的振動と電気的筋肉刺激を与えるものであるから、（ａ）のモータ回転打撃に対応して（ｄ）のＥＭＳ出力も多少同期的となる。図１２のエントリーモードと比較すると、「波打つ状態」となる。また（ｂ）のパルス幅は略一定、（ｃ）の周波数も大きく変化しない状態となっているものの、図１２はエントリーモードよりも多少「高め」となっている。
【００３６】
次に、図１４はインナーマッスルモードおける（ａ）モータ回転打撃、（ｂ）パルス幅、（ｃ）周波数、（ｄ）ＥＭＳ出力をそれぞれ示す。このインナーマッスルモードは深層筋に打撃的振動と電気的筋肉刺激を与えるものであるから、例えばモータの正転を行い、途中でＯＮ／ＯＦＦを繰返すことにより、常に同じ状態で回っているときよりも、筋肉に強い刺激を与えるようにする。したがって、（ａ）モータ回転打撃及び（ｄ）ＥＭＳ出力はそれぞれ波打つようになる。また（ｂ）のパルス幅及び（ｃ）の周波数は、それぞれ間欠的になる。
【００３７】
次に、図１５はドローインモードおける（ａ）モータ回転打撃、（ｂ）パルス幅、（ｃ）周波数、（ｄ）ＥＭＳ出力をそれぞれ示す。このドローインモードは目的部位に最も強い打撃的振動と電気的筋肉刺激を与えるものであるから、例えばモータを反転させ、かつ、インナーマッスルモードの如く、途中でＯＮ／ＯＦＦを繰返すことにより、常に同じ状態で回っているときよりも、筋肉により一層強い刺激を与えるようにする。つまり、「反転」＋「ＯＮ／ＯＦＦ」であるから、筋肉に最も強い刺激を与えることを狙っている。であるから、筋肉の奥まで電気的刺激が届くように（ｂ）のパルス幅の（ｃ）の周波数を工夫し、前記周波数は非常に低いものとなっている。
【００３８】
最後に、図１６はドレナージュモードおける（ａ）モータ回転打撃、（ｂ）パルス幅、（ｃ）周波数、（ｄ）ＥＭＳ出力をそれぞれ示す。このドレナージュモードは、肌表面の刺激を主たる目的としたものであるから、モータは常に所定方向に回転し続け、「反転」や「ＯＮ／ＯＦＦ」を全くしないものである。
【００３９】
ここでは、各モードのフローチャートを具体的に記載しないが、例えば操作部の電源ボタン１６をＯＮにした後、モード選択ボタン１８の操作によりモードか選択（特定）されると、数秒後に特定されたモードがスタートする。この場合、例えばボタン１７を操作する、スタートボタン等を操作することにより、モードがスタートするように構成しても良い点は前述したとおりである。
【００４０】
各モードは、例えば１０分程度継続して行われる。図１２のエントリーモードの場合には、正転にて繰り返されるシンプルな回転とやや高い周波数と短パルス幅とやや低い出力のＥＳＭで、初心者向けのやや低い刺激のトリートメントが行われる。
また図１３のアウターマッスルモードは、振動源２１、すなわち、駆動モータ２２が一つなので、本実施形態では、前述したとおり、所定時間（例えば１０分間、１５分間など）、正転状態で回り続け、駆動モータ２２は所定時間経過後停止する。
【００４１】
また図１４のインナーマッスルモードは、前記アウターマッスルモードと同様に駆動モータ２２は所定時間（例えば１０分間、１５分間など）、正転状態で回り続けるものの、所定時間内で、数分間毎に、例えば２分経過後毎に、駆動モータ２２はＯＮ／ＯＦＦを繰り返し、所定時間経過後停止する。
【００４２】
また図１５のドローインモードは、「反転」＋「ＯＮ／ＯＦＦ」であるから、制御部３０は、「反転」＋「ＯＮ／ＯＦＦ」を実行する場合には、計時部３２の情報に基づいて、駆動モータ制御手段３７を制御し、例えば駆動モータ２２の方向を、数分毎（例えば１分経過後毎）に正転から逆転（反転）させる。また計時部３２の情報に基づいて、駆動モータ２２を起動、作動状態及び停止を数分毎（例えば２分経過後毎）に繰返す。なお、その場合、停止と起動の間は、１秒程度であることが望ましい。
図１６のドレナージュモードは、基本的には前述した図１２のエントリーモードと同様である。
【実施例】
【００４３】
第１実施形態に於いて、出力部としての筋肉刺激用駆動部３６に接続する電極部６は、本実施形態では、例えば図２で示すようにケース２の一側面（例えば背面）に一体的に設けられているが、該電極部６の配設位置は発明の必須要件ではない。したがって、電極部６を、図示しない接続コードを介して前記筋肉刺激用駆動部３６の端子に接続するように構成しても良い。
【００４４】
また、振動源の駆動モータの出力軸とアンバランサーの接続構成について、好ましくは駆動モータの出力軸にアンバランサーが直結する実施形態の方が振動ユニットの軽量化及びローコスト化を図ると言う利点があるものの、特許文献１の如く、駆動モータの出力軸にドライブベルトを接続し、前記アンバランサーは前記ドライブベルトによって駆動されて振動源になるように構成しても良い。
【００４５】
また、駆動モータ２２の回転方向を変換する場合には、特許文献２の如く、駆動モータ２２の電流値を検出する電流検出手段、回転方向用切替えリレー等を用いても良い。また、第１実施形態に於いて、振動ユニット１をベルト部材５に所定間隔を有して複数個（例えば２個）設けても良い。このように構成すると、振動源が増えることから、目的部位に対する痩身効果が大きい。
【００４６】
この欄では、本発明の他の実施形態について説明する。なお、他の実施形態の説明に当って、第１実施形態と同一の部分には同一又は同様の符号を付して重複する説明を割愛する。
【００４７】
図１７乃至図２２は、本発明の第２実施形態を示す各説明図である。この第２実施形態が前記第１実施形態と主に異なる点は、一つのケースに複数の振動源が設けられている。振動源は３個、４個、５個等でも良いが、この第２実施形態では、振動ユニット１Ａのケース１ａの中に、２個設けられている。
【００４８】
したがって、ケース１ａの大きさ、一対又は二対の電極の形状や大きさ、支持部材１１の大きさとその貫通孔の数・形成位置、第１駆動モータ２２と第２駆動モータ２２Ａの大きさ等は、任意に設計変更されている。それ故に、図１８は図２と同様の概略説明図、図１９は図５と同様の概略説明図、図２０は図７と同様の概略説明図である。
【００４９】
特に、図２１はアウターマッスルモードおける（ａ）二つの駆動モータ回転打撃、（ｂ）パルス幅、（ｃ）周波数、（ｄ）ＥＭＳ出力を示す説明図である。このアウターマッスルモードは、肌に近い筋肉層に刺激を与えることを狙ったものであるから、望ましくは、制御部３０は（ａ）で示すモータ１が正転（プラス）の方向に回るときは、それと同時にモータ２は逆転（マイナス）の方向に回るように制御している。
【００５０】
また図２２はドローインモードおける（ａ）二つの駆動モータ回転打撃、（ｂ）パルス幅、（ｃ）周波数、（ｄ）ＥＭＳ出力をそれぞれ示す説明図である。このドローインモードは図２１のアウターマッスルモードよりも強い回転打撃を狙ったものであるから、アウターマッスルモードと同様に、制御部３０は（ａ）で示すモータ１が正転（プラス）の方向に回るときは、それと同時にモータ２は逆転（マイナス）の方向に回るように制御しているものの、両モータ１、２の回転打撃はアウターマッスルモードのそれよりも強い。
【００５１】
以上のように構成すると、振動ユニット１Ａ内の第１駆動モータ２２と第２駆動モータ２２Ａがそれぞれ独立して回転する実施形態、第１駆動モータ２２と第２駆動モータ２２Ａがそれぞれ異なる回転数で回る実施形態、さらに、第１駆動モータ２２と第２駆動モータ２２Ａがそれぞれ異なる方向（正転と逆転）に回る実施形態が可能となり、第１実施形態に比して、目的部位に対して、より複雑な刺激が可能と成る。
【００５２】
付言すると、第１実施形態と比較して、振動ユニットによる物理的振動刺激手段と筋肉への電気刺激による電気的刺激手段との合成をより効率的に行うことができる。したがって、目的部位に対する痩身効果が大きい。
【００５３】
図２３及び図２４は本発明の第３実施形態を示す各説明図である。この第３実施形態は、前記第２実施形態の振動ユニット１Ａをベルト部材５に所定間隔を有して複数個（例えば２個）設けたものである。このように構成すると、両方の振動ユット１Ａ、１Ａの各駆動モータ２２，２２Ａをそれぞれ「同じ方向（全て正転方向又は全て反転方向）に回転させる実施形態、両方の振動ユット１Ａ、１Ａの各駆動モータ２２，２２Ａをそれぞれ「異なる方向（正転方向と反転方向の組合せ）に回転させる実施形態が可能と成る。したがって、目的部位に対する痩身効果がより大きい。
【００５４】
ところで、２以上の振動ユット１Ａ、１Ａを一つのベルト部材５に取り付け場合には、これらの振動ユット１Ａ、１Ａは互いに接続コードで繋がれ、電源ケーブルはいずれか一方の振動ユットにだけ接続し、他方の振動ユットは前記接続コードを介して電源に接続する構成となっている。その他２以上の振動ユット１Ａ、１Ａとベルト部材５との接続構造は、任意に設計変更し得る。
【産業上の利用可能性】
【００５５】
本発明は、痩せるための付与する痩身運動器具として、例えばトレーニングジム、家庭等で使用することができる。
【符号の説明】
【００５６】
Ｘ…痩身運動器具、
１、１Ａ…振動ユット、
１ａ…ケース、
２…コントロールユニット、
２ａ…筐体、
３…電源接続部、
４…電源接続手段、
５…ベルト部材、
５ａ、５ａ…取付け基端部、
１０…ケース本体、
１１…支持部材、
２１…振動源、
２２…駆動モータ（第１駆動モータ）、
２２Ａ…第２駆動モータ、
３０…制御部、
１６、１７、１８…操作部、
１９、２０…表示部、
３１…ＣＰＵ、
３２…計時部、
３３…検出手段、
３４…プログラム記憶部、
３５…モードデータテーブル記憶部、
３６…筋肉刺激用駆動部、
３７…駆動モータ制御手段。
【図１】
0006637386.tif 000002
【図２】
0006637386.tif 000003
【図３】
0006637386.tif 000004
【図４】
0006637386.tif 000005
【図５】
0006637386.tif 000006
【図６】
0006637386.tif 000007
【図７】
0006637386.tif 000008
【図８】
0006637386.tif 000009
【図９】
0006637386.tif 000010
【図１０】
0006637386.tif 000011
【図１１】
0006637386.tif 000012
【図１２】
0006637386.tif 000013
【図１３】
0006637386.tif 000014
【図１４】
0006637386.tif 000015
【図１５】
0006637386.tif 000016
【図１６】
0006637386.tif 000017
【図１７】
0006637386.tif 000018
【図１８】
0006637386.tif 000019
【図１９】
0006637386.tif 000020
【図２０】
0006637386.tif 000021
【図２１】
0006637386.tif 000022
【図２２】
0006637386.tif 000023
【図２３】
0006637386.tif 000024
【図２４】
0006637386.tif 000025